(57)【要約】      （修正有）【課題】内容物の残量に対してソフトバック容器の容積を適正に調節維持するに必要な捩り回転機構を備えた再使用可能な注出容器の提供。【解決手段】使用中の内容物の流れはソフトバック容器の内容器２ａの吐出口部２１と底部２２とを連通する流動体の流通路管２３または、流通路を形成する通路形成手段２４を通じて注出する。内容器２ａを回転により捩り容積を減少させた時の内容物の残量の殆どが内容器２ａの底部２２の位置に残っており、容器全体の重心を低く保ち自立型の容器形態で安定性が増す。注出容器の外容器３は、胴体部３４と胴底部３２に分割ができ、胴口部３１には内容器２ａの吐出口部２１を固定できる回り止め構造３３を有する。胴体部３４に対して胴底部３２を回転させ内容器２ａを捩り容積を減少させることが可能な回転機構を有し、この注出容器とソフトバック容器との組み合わせで自立型の容器形態が実現できる。【選択図】図２
2006056592.tif 000002
【特許請求の範囲】
【請求項１】
流動体を収容する収縮可能な内容器（２）と、この内容器（２）を収納する外容器（３）は前記内容器（２）を収納するのに胴体部（３４）と胴底部（３２）に分割ができ、前記外容器（３）の胴口部（３１）には前記内容器（２）の吐出口部（２１）を固定できる回り止め構造（３３）を有しまた、胴底部（３２）には前記内容器（２）の底部（２２）を接合固定でき、前記胴底部（３２）は前記内容器（２）を捩り容積を減少させることが可能な回転機構を有していることを特徴とする注出容器。
【請求項２】
前記外容器（３）の胴体部（３４）には、前記内容器（２）を直接または間接的に手で押圧注出可能な構造（３５）を有する請求項１の注出容器。
【請求項３】
前記内容器（２）は、収縮可能なソフトバックからなり吐出口部（２１）は前記外容器（３）の胴口部（３１）と固定できる構造を有し、吐出口部（２１）先端には逆流防止弁や弁が設けられており、底部（２２）には前記外容器（３）の胴底部（３２）と複数点または一点で接続固定可能な容器。
【請求項４】
前記内容器（２）では、吐出口部（２１）と底部（２２）とを連通する流動体の流通路管（２３）または、流通路を形成する通路形成手段（２４）が内容器（２）内に設けていることを特徴とする請求項３の容器
【発明の詳細な説明】
【技術分野】
【０００１】  本発明は、流動体の入っているソフトバック容器を注出容器に収納し、回転により捩りまたは、手で押圧し注出する注出容器に関する。
【背景技術】
【０００２】  一般的に使用されている容器では、使用のたびに外気が容器内に入り込み内容物が酸化や雑菌で汚染する可能性があるために、酸化防止剤や防腐剤等の添加剤が用いられているものが多い。しかし、これでは人が直接食したりまた肌に塗るようなことを繰り返している間にアトピー性皮膚炎など人体に悪影響を及ぼすと多くの問題事例が報告されている。【０００３】  ところで近年、人に害のある酸化防止剤や防腐剤の添加をなくし人に対する安全・安心の向上を図る必要性から酸化防止剤や防腐剤を添加しなくても内容物の品質が維持できる容器材料の開発や容器の外からの雑菌汚染を防ぐ逆流防止弁の開発が進められている。【０００４】  このような容器の逆流防止口栓および容器ならびに注出装置は、特開２００４−１４９２１５公報に開示されている。
【特許文献１】特開２００４−１４９２１５公報
【発明の開示】
【発明が解決しようとする課題】
【０００５】  特に収縮可能なソフトバック容器の吐出口に逆流防止弁を設けた場合は、逆流防止弁部での注出抵抗が増えまた、使用を続け内容物が少なくなるにつれて内容物を押し出すことが難しくなる。理由は、内容物の残量に対してソフトバック容器の容積比率が大きく押し出そうとしても内容物がソフトバック容器内を移動するたけで押し力が分散し押し出すことが難しくなるのである。【０００６】  本発明の目的は、内容物の残量に対してソフトバック容器の容積を適正に調節維持するに必要な捩り回転機構を備えた、繰り返し再使用可能な注出容器の提供にある。
また、ソフトバック容器への全体的な移行は、廃棄容器重量と容積が少なくなり地球環境に優しい。
【課題を解決するための手段】
【０００７】  本発明は、上記目的を達成するために以下の技術的手段を講じた。
第１に、流動体を収容する収縮可能な内容器（２）と、この内容器（２）を収納する外容器（３）は前記内容器（２）を収納するのに胴体部（３４）と胴底部（３２）に分割ができ、前記外容器（３）の胴口部（３１）には前記内容器（２）の吐出口部（２１）を固定できる回り止め構造（３３）を有しまた、胴底部（３２）には前記内容器（２）の底部（２２）を接合固定でき、前記胴底部（３２）は前記内容器（２）を捩り容積を減少させることが可能な回転機構を有していることを特徴とする注出容器で、この注出容器はソフトバック容器を入れ替え繰り返し再使用する。【０００８】  第２に、前記外容器（３）の胴体部（３４）には、前記内容器（２）を直接または間接的に手で押圧注出可能な構造（３５）を有する注出容器とソフトバック容器とを組み合わせることで自立型の容器形態が実現でき内容物を容易に注出することができる。【０００９】  第３に、前記内容器（２）は、収縮可能なソフトバックからなり吐出口部（２１）は前記外容器（３）の胴口部（３１）と固定できる構造を有し、吐出口部（２１）先端には逆流防止弁や弁が設けられており、底部（２２）には前記外容器（３）の胴底部（３２）と複数点または一点で接続固定可能なソフトバック容器とすることで、前記内容器（２）内に外部の空気や雑菌が流れ込むことがなく、これによって酸化防止剤や防腐剤等を大幅に減量でき、または、使用しなくても内容物である流動体の品質を長期に保持・使用できさらに、少ない量の容器材料で形成ができるので地球環境に優しい内容器（２）が実現できる。【００１０】  第４に、前記内容器（２）で吐出口部（２１）と底部（２２）とを連通する流動体の流通路管（２３）または、流通路を形成する通路形成手段（２４）が内容器（２）内に設けていることを特徴とするソフトバック容器では、使用中は常に流動体の大部分を内容器（２）の底部（２２）の位置に残すことができ重心を低く保つことが可能となり、自立型の容器形態で安定性が増す。
【発明の効果】
【００１１】  既存の食品、化粧品容器等の多くをソフトバック容器化し、本発明の注出容器と組み合わせ使用すれば、使用によって内容物の残量が減少しても容易に注出が可能となりまた、廃棄容器重量と容積の低減にも結び付き地球環境に優しい。
【発明を実施するための最良の形態】
【００１２】  以下、本発明の実施の形態を図面を参照して説明する。
図１は、ソフトバック容器の概念図（ａ）（ｂ）を図示し、概念図（ｃ）は（ａ）（ｂ）を９０度ずらした側面図である。この内容器２ａと内容器２ｂでは注出容器の胴口部３１の先端に固定する回り止め部２６とまた、胴底部３２に接合する接合固定部２５ａと接合固定部２５ｂを中心に図示している。【００１３】  ソフトバック容器の概念図（ａ）の内容器２ａに示すように、ソフトバック容器の吐出口部２１先端には逆流防止弁や弁が設けられており、底部２２には注出容器の胴底部３２と二点で接続固定可能な接合固定部２５ａの形状となっている。ソフトバック容器の吐出口部２１先端の逆流防止弁によって内容器２ａ内に外部の空気や雑菌が流れ込むことがなく、これによって酸化防止剤や防腐剤等を大幅に減量できまたは、使用しなくても内容物である流動体の品質を長期に保持・使用できる。また、内容器２ａ内には吐出口部２１と底部２２とを連通する流動体の流通路管２３または、流通路を形成する通路形成手段２４設けまた、注出容器の胴底部３２に接合する内容器２ａの接合固定部２５ａの形状を両端二点とすることで、内容器２ａを回転により捩り容積を減少させても、使用中は常に内容物の大部分を内容器２ａの底部２２の位置に残すことができ重心を低く保つことが可能となるので、自立型の容器形態で安定性を増すことができるソフトバック容器形態である。【００１４】  ソフトバック容器の概念図（ｂ）の内容器２ｂは、ソフトバック容器の吐出口部２１先端には逆流防止弁や弁が設けられており、底部２２には注出容器の胴底部３２と一点で接続固定可能な接合固定部２５ｂの形状となっている。ソフトバック容器の吐出口部２１先端の逆流防止弁で内容器２ｂ内に外部の空気や雑菌が流れ込むことがなく、これによって酸化防止剤や防腐剤等を大幅に減量でき、または、使用しなくても内容物である流動体の品質を長期に保持・使用できる。また、注出容器の胴底部３２に接合する内容器２ｂの接合固定部２５ｂの位置を略中心とし一点とすることで、内容器２ｂを回転により捩り容積を減少させると、ソフトバック容器の内容器２ｂ内の殆どの内容物の残りを吐出口部２１側に位置させることができるソフトバック容器形態である。
【実施例１】
【００１５】  図２は、本発明の第一の実施形態で、ソフトバック容器の内容器２ａと注出容器とを組み合わせた概念図である。使用中の内容物の流れはソフトバック容器の内容器２ａの吐出口部２１と底部２２とを連通する流動体の流通路管２３または、流通路を形成する通路形成手段２４を通じて注出する。内容器２ａを回転により捩り容積を減少させた時の内容器２ａ内の内容物の残量の殆どが内容器２ａの底部２２の位置に残っている状態を図示しており、容器全体の重心を低く保つことができ自立型の容器形態で安定性を増している。【００１６】  注出容器の外容器３は、胴体部３４と胴底部３２に分割ができ、胴口部３１には内容器２ａの吐出口部２１を固定できる回り止め構造３３を有しまた、胴底部３２には内容器２ａの底部２２の接合固定部２５ａと接合し固定することで、胴体部３４に対して胴底部３２を回転させ内容器２ａを捩り容積を減少させることが可能な回転機構を有している。胴体部３４と胴底部３２とは、数山のねじで噛み合い結合するが数山のねじを通り過ぎると空回転状態となり、ソフトバック容器を継続し回転により捩り容積を減少させることができるようになっている。また、回転により捩るとソフトバック容器の全長が縮むので胴体部３４の底面と胴底部３２の内側底面とは常に接触した状態を保つので、回転により捩られた部分は簡単には逆戻りしないようになっている。【００１７】  注出容器の外容器３の胴体部３４には、ソフトバック容器の内容器２ａを直接または間接的に手で押圧注出可能な構造３５を有しており、押圧注出可能な構造３５は胴体部３４の一部が刳り貫かれているかまたは、押圧注出可能な薄肉構造となっているので内容物を容易に注出することができる。この注出容器はソフトバック容器を入れ替えるだけで繰り返し再使用できる。
【実施例２】
【００１８】  図３は、本発明の第二の実施形態で、ソフトバック容器の内容器２ｂと注出容器とを組み合わせた概念図である。使用中の内容物の流れはソフトバック容器の内容器２ｂの吐出口部２１の先端から直接注出するので、前記で述べた内容器２ａとは異なり流動体の流通路管２３や流通路を形成する通路形成手段２４がなくまた、胴底部３２と内容器２ｂの底部２２の接合を一点とする接合固定部２５ｂの形状とすることで、内容器２ｂを回転により捩り容積を減少させた時の内容器２ｂ内の内容物の殆どを内容器２ｂの吐出口部２１側に位置している状態を図示している。【００１９】  この図３の第二の実施形態の注出容器は、図２の第一の実施形態で説明した内容や基本構造・機構は略同じであり、繰り返し再使用できる。【００２０】  図４は、ソフトバック容器の内容器２の吐出口部２１と注出容器の外容器３の胴口部３１とを固定するための回り止め構造３３を図示している。この概念図（ｄ）はソフトバック容器の吐出口部２１で注出容器の胴口部３１に挿入する前の状態を図示している。また、概念図（ｅ）はソフトバック容器の先端の回り止め部２６が注出容器の胴口部３１の先端に挿入され９０度捻った状態を図示、これから固定する回り止め部２６と固定キャップ３９との組み立て前の図で回り止め構造３３を図示しており、回り止め部２６を９０度捻った状態から下方に移動して定位置に収め固定キャップ３９ａまたは固定キャップ３９ｂで締め付け固定する。【００２１】  また、固定キャップ３９ａには逆流防止弁２８の弁体８を押さえる突起部３８が形成されており、さらに、締め付け下方へ移動させることで弁体８を押し付け、簡単に内容物の注出を止めておくことができる機構を図示している。【００２２】  上記のような注出容器の外容器３とソフトバック容器の内容器２とを組み合わせ使用することは、内容器２内に外部の空気や雑菌が流れ込むことがなく、これによって酸化防止剤や防腐剤等を大幅に減量でき、または、使用しなくても内容物である流動体の品質を長期に保持・使用できまた注出も容易となりさらに、ソフトバック容器の内容器２は少ない量の容器材料で形成できるので地球環境に優しい。【００２３】  なお、本発明は上記の実施形態に限らず、以下のような変更が可能である。
第一の実施形態、図２では、注出容器の胴底部３２に内容器２ａの底部２２を接合し固定する接合固定部２５ａの形状を両端二点とし例示したが、複数点固定や他の固定方法でもよくまた、図４で例示したソフトバック容器の内容器２の吐出口部２１と注出容器の外容器３の胴口部３１とを固定するための回り止め構造３３においても他の固定方法でもよい。
【産業上の利用の可能性】
【００２４】  本発明に係わる注出容器とソフトバック容器との組み合わせへの移行は、ペットボトル容器からの脱却に結び付く。
【図面の簡単な説明】
【００２５】
【図１】図１は、ソフトバック容器の概念図（ａ）（ｂ）を図示し、概念図（ｃ）は（ａ）（ｂ）を９０度ずらした側面図である。
【図２】図２は、本発明の第一の実施形態で、ソフトバック容器の内容器２ａと注出容器とを組み合わせた概念図である。
【図３】図３は、本発明の第二の実施形態で、ソフトバック容器の内容器２ｂと注出容器とを組み合わせた概念図である。
【図４】図４は、ソフトバック容器の内容器２の吐出口部２１と注出容器の外容器３の胴口部３１とを固定するための回り止め構造３３の概念図である。
【符号の説明】
【００２６】    ２、２ａ、２ｂ、２ｃ、内容器
３、外容器
２１、吐出口部
２２、底部
２３、流通路管
２４、通路形成手段
２５ａ、２５ｂ、接合固定部
２６、回り止め部
２８、逆流防止弁
３１、胴口部
３２、胴底部
３３、回り止め構造
３４、胴体部
３５、押圧注出可能な構造
３９、３９ａ、３９ｂ、定キャップ
【図１】
2006056592.tif 000003
【図２】
2006056592.tif 000004
【図３】
2006056592.tif 000005
【図４】
2006056592.tif 000006